(57)【要約】      （修正有）【課題】反発性能と耐久性とを両立させながら打球音の高さおよび響きを抑制することができるアイアンゴルフクラブヘッドおよびそれを備えたアイアンゴルフクラブを提供する。【解決手段】アイアンゴルフクラブヘッドは、ヘッド部１０と、バッジ部２０と、接着部材３０とを備えている。ヘッド部１０は、フェース面１１およびバック面１３を有する。バッジ部２０は、バック面１３に取り付けられている。接着部材３０は、バック面１３とバッジ部２０とを接着する。ヘッド部１０は、薄肉部１６と、厚肉部１５とを含む。接着部材３０は、バッジ部２０に接着された第１接着部３１と、第１接着部３１からバッジ部２０と反対側に突き出した第２接着部３２とを含む。バッジ部２０は、第１接着部３１を介して厚肉部１５に接着されており、かつ第１接着部３１および第２接着部３２を介して薄肉部１６に接着されている。【選択図】図３
2019122524.tif 000002
【特許請求の範囲】
【請求項１】
フェース面およびバック面を有するヘッド部と、
前記バック面に取り付けられたバッジ部と、
前記バック面と前記バッジ部とを接着する接着部材とを備え、
前記ヘッド部は、薄肉部と、前記薄肉部を取り囲みかつ前記フェース面から前記バック面に向かう方向の厚みが前記薄肉部よりも大きい厚肉部とを含み、
前記接着部材は、前記バッジ部に接着された第１接着部と、前記第１接着部から前記バッジ部と反対側に突き出した第２接着部とを含み、
前記バッジ部は、前記第１接着部を介して前記厚肉部に接着されており、かつ前記第１接着部および前記第２接着部を介して前記薄肉部に接着されている、アイアンゴルフクラブヘッド。
【請求項２】
前記第２接着部は、中間層と、前記中間層を挟むように配置された第１粘着層および第２粘着層とを含み、
前記第１粘着層は、前記第１接着部に接着され、
前記第２粘着層は、前記バック面に接着されている、請求項１に記載のアイアンゴルフクラブヘッド。
【請求項３】
前記第２接着部は接着剤である、請求項１に記載のアイアンゴルフクラブヘッド。
【請求項４】
前記バッジ部は、前記バック面に向かい合う裏面を有し、
前記裏面は、平らに構成されている、請求項１〜３のいずれか１項に記載のアイアンゴルフクラブヘッド。
【請求項５】
前記第１接着部は、前記バッジ部の外周縁に沿って配置されている、請求項１〜４のいずれか１項に記載のアイアンゴルフクラブヘッド。
【請求項６】
前記ヘッド部は、トウ部と、ヒール部とを含み、
前記薄肉部は、第１薄肉部分および第２薄肉部分を含み、
前記第１薄肉部分および前記第２薄肉部分は、前記トウ部から前記ヒール部に向かう方向に並んで配置されている、請求項１〜５のいずれか１項に記載のアイアンゴルフクラブヘッド。
【請求項７】
前記ヘッド部は、トップ部と、ソール部とを含み、
前記トウ部から前記ヒール部に向かう方向に前記第１薄肉部分と前記第２薄肉部分とに挟まれた前記厚肉部の幅は、前記トップ部から前記ソール部に向かう方向に大きくなる、請求項６に記載のアイアンゴルフクラブヘッド。
【請求項８】
前記第２接着部は、前記第１薄肉部分と前記第２薄肉部分の中央にそれぞれ配置されている、請求項６または７に記載のアイアンゴルフクラブヘッド。
【請求項９】
前記バック面と前記バッジ部とが向かい合う方向において、前記薄肉部に配置された前記接着部材の厚みは、前記厚肉部に配置された前記接着部材の厚みよりも大きい、請求項１〜８のいずれか１項に記載のアイアンゴルフクラブヘッド。
【請求項１０】
請求項１〜９のいずれか１項に記載のアイアンゴルフクラブヘッドと、
一方端および他方端を有するシャフトと、
グリップとを備え、
前記アイアンゴルフクラブヘッドは、前記シャフトの前記一方端に取り付けられており、
前記グリップは、前記シャフトの前記他方端に取り付けられている、アイアンゴルフクラブ。
【発明の詳細な説明】
【技術分野】
【０００１】
本発明は、アイアンゴルフクラブヘッドおよびアイアンゴルフクラブに関するものである。
【背景技術】
【０００２】
特開２００６−１４９９６４号公報（特許文献１）には、反発性能と耐久性とを両立させるためのアイアンゴルフクラブが記載されている。この公報に記載されたアイアンゴルフクラブは、スイートスポットを含む領域を形成する厚肉部と、厚肉部の外側に設けられた薄肉部とを有している。このため、薄肉部により反発性能が向上し得るとともに厚肉部により耐久性が向上し得る。
【先行技術文献】
【特許文献】
【０００３】
【特許文献１】特開２００６−１４９９６４号公報
【発明の概要】
【発明が解決しようとする課題】
【０００４】
上記公報に記載されたアイアンゴルフクラブでは、打球音が高くなりすぎるとともに打球音の響きが長くなりすぎる。打球音が高くなりすぎたり、打球音の響きが長くなりすぎたりすると打感が悪くなる。
【０００５】
本発明は上記課題に鑑みてなされたものであり、その目的は、反発性能と耐久性とを両立させながら打球音の高さおよび響きを抑制することができるアイアンゴルフクラブヘッドおよびそれを備えたアイアンゴルフクラブを提供することである。
【課題を解決するための手段】
【０００６】
本発明のアイアンゴルフクラブヘッドは、ヘッド部と、バッジ部と、接着部材とを備えている。ヘッド部は、フェース面およびバック面を有する。バッジ部は、バック面に取り付けられている。接着部材は、バック面とバッジ部とを接着する。ヘッド部は、薄肉部と、薄肉部を取り囲みかつフェース面からバック面に向かう方向の厚みが薄肉部よりも大きい厚肉部とを含む。接着部材は、バッジ部に接着された第１接着部と、第１接着部からバッジ部と反対側に突き出した第２接着部とを含む。バッジ部は、第１接着部を介して厚肉部に接着されており、かつ第１接着部および第２接着部を介して薄肉部に接着されている。
【０００７】
本発明のアイアンゴルフクラブヘッドによれば、薄肉部によりフェース面を撓ませることで反発性能を向上させることができ、厚肉部によりフェース面の耐久性を向上させることができる。また、バッジ部により打球音を抑制することができる。さらに、バッジ部は、第１接着部を介して厚肉部に接着されており、かつ第１接着部および第２接着部を介して薄肉部に接着されている。このため、第１接着部により厚肉部の振動が抑制されるとともに第１接着部および第２接着部により薄肉部の振動が抑制される。これにより、打球音の高さおよび響きを抑制することができる。したがって、反発性能と耐久性とを両立させながら打球音の高さおよび響きを抑制することができる。
【０００８】
上記のアイアンゴルフクラブヘッドにおいて、好ましくは、第２接着部は、中間層と、中間層を挟むように配置された第１粘着層および第２粘着層とを含む。第１粘着層は、第１接着部に接着されている。第２粘着層は、バック面に接着されている。つまり、第２接着部として両面テープを用いることができる。これにより、バッジ部の取り付けが容易となる。したがって、アイアンゴルフクラブヘッドの生産性を向上させることができる。
【０００９】
上記のアイアンゴルフクラブヘッドにおいて、好ましくは、第２接着部は接着剤である。このため、第２接着部に接着剤を用いることができる。
【００１０】
上記のアイアンゴルフクラブヘッドにおいて、好ましくは、バッジ部は、バック面に向かい合う裏面を有している。裏面は、平らに構成されている。このため、バッジ部の生産性を向上させることができる。また、バッジ部のコストを低減させることができる。さらに、バッジ部の形状精度が担保されやすいため、バッジ部の接着強度を向上させることができる。
【００１１】
上記のアイアンゴルフクラブヘッドにおいて、好ましくは、第１接着部は、バッジ部の外周縁に沿って配置されている。バッジ部は外周縁を起点としてバック面からはがれやすい。そのため、バッジ部がバック面からはがれることを効果的に抑制することができる。
【００１２】
上記のアイアンゴルフクラブヘッドにおいて、好ましくは、ヘッド部は、トウ部と、ヒール部とを含む。薄肉部は、第１薄肉部分および第２薄肉部分を含む。第１薄肉部分および第２薄肉部分は、トウ部からヒール部に向かう方向に並んで配置されている。フェース面は、トウ部からヒール部に向かう方向に耐久性が高い。そのため、耐久性の向上および反発性能の向上を効果的に両立させることができる。
【００１３】
上記のアイアンゴルフクラブヘッドにおいて、好ましくは、ヘッド部は、トップ部と、ソール部とを含む。トウ部からヒール部に向かう方向に第１薄肉部分と第２薄肉部分とに挟まれた厚肉部の幅は、トップ部からソール部に向かう方向に大きくなる。打球時において、フェース面は、トップ部よりもソール部の近くでゴルフボールに接触し易い。そのため、フェース面のゴルフボールに接触し易い領域において厚肉部の幅を大きくすることで効果的に耐久性を向上させることができる。
【００１４】
上記のアイアンゴルフクラブヘッドにおいて、好ましくは、第２接着部は、第１薄肉部分と第２薄肉部分の中央にそれぞれ配置されている。このため、第１薄肉部分と第２薄肉部分の中央を腹とする振動モードを抑制することができる。
【００１５】
上記のアイアンゴルフクラブヘッドにおいて、好ましくは、バック面とバッジ部とが向かい合う方向において、薄肉部に配置された接着部材の厚みは、厚肉部に配置された接着部材の厚みよりも大きい。このため、接着部材によって薄肉部の振動を効果的に抑制することができる。
【００１６】
本発明のアイアンゴルフクラブは、上記のアイアンゴルフクラブヘッドと、一方端および他方端を有するシャフトと、グリップとを備えている。アイアンゴルフクラブヘッドは、シャフトの一方端に取り付けられている。グリップは、シャフトの他方端に取り付けられている。これにより、反発性能と耐久性とを両立させながら打球音の高さおよび響きを抑制することができるアイアンゴルフクラブを得ることができる。
【発明の効果】
【００１７】
以上説明したように、本発明のアイアンゴルフクラブヘッドおよびそれを備えたゴルフクラブによれば、反発性能と耐久性とを両立させながら打球音の高さおよび響きを抑制することができる。
【図面の簡単な説明】
【００１８】
【図１】本発明の一実施の形態におけるアイアンゴルフクラブヘッドの構成を概略的に示す正面図である。
【図２】本発明の一実施の形態におけるアイアンゴルフクラブヘッドの構成を概略的に示す背面図である。
【図３】図２のＩＩＩ−ＩＩＩ線に沿う断面図である。
【図４】本発明の一実施の形態におけるヘッド部の構成を概略的に示す背面図である。
【図５】本発明の一実施の形態におけるバッジ部および接着部材の構成を概略的に示す正面図である。
【図６】本発明の一実施の形態におけるアイアンゴルフクラブヘッドの製造方法を概略的に示す断面図である。
【図７】本発明の一実施の形態におけるアイアンゴルフクラブヘッドの変形例１の製造方法を概略的に示す断面図である。
【図８】本発明の一実施の形態におけるアイアンゴルフクラブヘッドの変形例２の製造方法を概略的に示す断面図である。
【図９】本発明の一実施の形態におけるアイアンゴルフクラブの構成を概略的に示す正面図である。
【図１０】比較例１および比較例２ならびに実施例１のボールスピードとトウヒール方向の位置との関係を示すグラフである。
【図１１】比較例１および比較例２ならびに実施例１のボールスピードとアップダウン方向の位置との関係を示すグラフである。
【図１２】比較例１および比較例２ならびに実施例１のキャリーとトウヒール方向の位置との関係を示すグラフである。
【図１３】比較例１および比較例２ならびに実施例１のキャリーとアップダウン方向の位置との関係を示すグラフである。
【図１４】比較例３におけるバッジ部および接着部材の構成を概略的に示す正面図である。
【図１５】実施例２におけるバッジ部および接着部材の構成を概略的に示す正面図である。
【図１６】実施例３におけるバッジ部および接着部材の構成を概略的に示す正面図である。
【図１７】比較例３ならびに実施例２および実施例３の音圧と周波数との関係を示すグラフである。
【図１８】比較例３の音圧と時間との関係を示すグラフである。
【図１９】実施例２の音圧と時間との関係を示すグラフである。
【図２０】実施例３の音圧と時間との関係を示すグラフである。
【発明を実施するための形態】
【００１９】
以下、本発明の一実施の形態について図に基づいて説明する。
図１〜図５を参照して、本発明の一実施の形態におけるアイアンゴルフクラブヘッドの構成について説明する。図１〜図３に示されるように、本実施の形態におけるアイアンゴルフクラブヘッド１００は、ヘッド部１０と、バッジ部２０と、接着部材３０とを備えている。
【００２０】
ヘッド部１０は、トウ部１０ａと、ヒール部１０ｂと、トップ部１０ｃと、ソール部１０ｄと、フェース面１１と、溝部１２と、バック面１３と、キャビティ立ち面１４と、厚肉部１５と、薄肉部１６と、ホーゼル部１７とを有している。フェース面１１は、打球面である。フェース面１１は、トウ部１０ａ、ヒール部１０ｂ、トップ部１０ｃおよびソール部１０ｄに囲まれている。トウ部１０ａはホーゼル部１７から離れた側のトップ部１０ｃとソール部１０ｄとを接続する部分である。ヒール部１０ｂはホーゼル部１７の下端からソール部１０ｄに至る部分である。トップ部１０ｃは、ホーゼル部１７からトウ部１０ａに至るヘッド部１０の上端縁部を構成する部分である。ソール部１０ｄは、ヘッド部１０の下端縁部（底部）を構成する部分である。
【００２１】
図１に示されるように、フェース面１１には複数の溝部（スコアライン）１２が設けられている。複数の溝部１２の各々は、トウ部１０ａからヒール部１０ｂに向かう方向（フェース面１１を横断する方向）に直線状に構成されている。複数の溝部１２の各々は、トップ部１０ｃからソール部１０ｄに向かう方向（フェース面１１を縦断する方向）に略等間隔で配置されている。
【００２２】
図２に示されるように、バック面１３は、フェース面１１の後方に位置する。バック面１３はキャビティ立ち面１４に囲まれている。つまり、キャビティ立ち面１４に囲まれたキャビティ口枠内にバック面１３が設けられている。また、バック面１３は、厚肉部１５および薄肉部１６の両方に設けられている。ヘッド部１０においてフェース面１１の材料は、たとえばチタンである。なお、フェース面１１の材料は、チタンに限らず、Ｓ２５Ｃのような炭素鋼、クロムモリブデン鋼のような特殊鋼であってもよいし、マルエージング鋼であってもよい。ヘッド部１０においてフェース面１１の周囲の材料は、たとえばステンレス鋼である。
【００２３】
図３および図４に示されるように、厚肉部１５は、薄肉部１６を取り囲むように構成されている。厚肉部１５は、フェース面１１からバック面１３に向かう方向の厚みが薄肉部１６よりも大きい。言い換えれば、バック面１３には、薄肉部１６と、薄肉部１６からバッジ部２０に向かう方向に突き出した厚肉部１５とによって構成される凹部ＲＰが設けられている。本実施の形態では、２つの凹部ＲＰが設けられている。２つの凹部ＲＰは、トウ部１０ａからヒール部１０ｂに向かう方向に並んで配置されている。トウ部１０ａ側に配置された凹部ＲＰの面積は、ヒール部１０ｂ側に配置された凹部ＲＰの面積よりも大きい。フェース面１１のスイートスポットは、厚肉部１５に重なる領域に配置されている。厚肉部１５のフェース面１１からバック面１３に向かう方向の厚みは均一であってもよい。厚肉部１５の厚みは、たとえば２．４５ｍｍである。薄肉部１６のフェース面１１からバック面１３に向かう方向の厚みは均一であってもよい。薄肉部１６の厚みは、たとえば２．０ｍｍである。
【００２４】
図２および図３に示されるように、バッジ部２０は、バック面１３に取り付けられている。バッジ部２０は、キャビティ立ち面１４に囲まれた領域に収容されている。バッジ部２０は、バック面１３に向かい合う裏面２１を有している。バッジ部２０の裏面２１は、平ら（フラット）に構成されている。つまり、バッジ部２０の裏面２１は平面である。バッジ部２０の材料は、たとえばアルミニウム、ステンレス鋼、ニッケルあるいは電鋳品などの金属材料や、ＡＢＳ（Ａｃｒｙｌｏｎｉｔｒｉｌｅ  Ｂｕｔａｄｉｅｎｅ  Ｓｔｙｒｅｎｅ）やＴＰＵ（Ｔｈｅｒｍｏｐｌａｓｔｉｃ  Ｐｏｌｙｕｒｅｔｈａｎｅ）などの樹脂、あるいは炭素繊維強化樹脂（ＣＦＲＰ；Ｃａｒｂｏｎ Ｆｉｂｅｒ  Ｒｅｉｎｆｏｒｃｅｄ  Ｐｌａｓｔｉｃ）、そしてそれらの複合品であってもよい。
【００２５】
接着部材３０は、ヘッド部１０のバック面１３とバッジ部２０とを接着する。接着部材３０は、ヘッド部１０とバッジ部２０との間に配置されている。接着部材３０は、第１接着部３１と、第２接着部３２とを含んでいる。第１接着部３１は、バッジ部２０に接着されている。第１接着部３１はバッジ部２０の裏面２１に接着されている。また、第１接着部３１は、ヘッド部１０の厚肉部１５に接着されている。第２接着部３２は、第１接着部３１からバッジ部２０と反対側に突き出している。本実施の形態では、第１接着部３１と第２接着部３２とは別体である。第２接着部３２は、フェース面１１からバック面１３に向かう方向に第１接着部３１と積層されている。第２接着部３２は、第１接着部３１に接着されている。また、第２接着部３２は、ヘッド部１０の薄肉部１６に接着されている。第１接着部３１および第２接着部３２の材料は、互いに異なっていてもよく、また互いに同じであってもよい。なお、第１接着部３１と第２接着部３２とは一体であってもよい。
【００２６】
バッジ部２０は、第１接着部３１を介して厚肉部１５に接着されている。バッジ部２０は、第１接着部３１および第２接着部３２を介して薄肉部１６に接着されている。バッジ部２０は凹部ＲＰを覆うように配置されている。第１接着部３１は、凹部ＲＰを閉塞するように配置されている。第２接着部３２は、凹部ＲＰの内部空間内に配置されている。
【００２７】
本実施の形態では、第２接着部３２は、第１部分３２１と、第２部分３２２とを有している。第１部分３２１と第２部分３２２とは、平面視において互いに離れて配置されている。第１部分３２１および第２部分３２２の各々は、２つの凹部ＲＰの各々にそれぞれ配置されている。第１部分３２１の面積および体積は、第２部分３２２の面積および体積よりも大きい。第１部分３２１と第２部分３２２とはトウ部１０ａからヒール部１０ｂに向かう方向に並んで配置されている。トウ部１０ａからヒール部１０ｂに向かう方向において第１部分３２１は第２部分３２２よりもトウ部の近くに配置されている。
【００２８】
本実施の形態では、第１接着部３１および第２接着部３２は両面テープである。第１接着部３１および第２接着部３２は互いに同様の構成を備えていてもよい。第１接着部３１および第２接着部３２の構造について第２接着部３２に基づいて説明する。第２接着部３２は、第１粘着層３２ａと、第２粘着層３２ｂと、中間層３２ｃとを有している。第１粘着層３２ａ、第２粘着層３２ｂおよび中間層３２ｃは、互いに積層されている。第１粘着層３２ａおよび第２粘着層３２ｂは、中間層３２ｃを挟むように配置されている。第１粘着層３２ａは、第１接着部３１に接着されている。また、第１粘着層３２ａは、中間層３２ｃに接着されている。第２粘着層３２ｂは、バック面１３に接着されている。また、第２粘着層３２ｂは、中間層３２ｃに接着されている。
【００２９】
第１接着部３１に用いられる両面テープとしては、例えば３Ｍ  Ｙ４６０８（厚み０．８ｍｍ）が挙げられる。第２接着部３２に用いられる両面テープとしては、３Ｍ  ５９２５（厚み０．６４ｍｍ）が挙げられる。なお、両面テープは、厚みや粘着力が適正なものであれば、これらに限らない。
【００３０】
本実施の形態では、第１接着部３１は、バッジ部２０の外周縁に沿って配置されている。具体的には、バッジ部２０の裏面２１の外周縁に沿って配置されている。なお、第１接着部３１は、バッジ部２０の外周縁の全周に亘って配置されていてもよい。
【００３１】
本実施の形態では、薄肉部１６は、第１薄肉部分１６ａおよび第２薄肉部分１６ｂを有している。第１薄肉部分１６ａおよび第２薄肉部分１６ｂは、トウ部１０ａからヒール部１０ｂに向かう方向に並んで配置されている。第１薄肉部分１６ａおよび第２薄肉部分１６ｂの各々は２つの凹部ＲＰの各々をそれぞれ構成している。
【００３２】
トウ部１０ａからヒール部１０ｂに向かう方向に第１薄肉部分１６ａと第２薄肉部分１６ｂとに挟まれた厚肉部１５の幅は、トップ部１０ｃからソール部１０ｄに向かう方向に大きくなる。つまり、第１薄肉部分１６ａと第２薄肉部分１６ｂとに挟まれた厚肉部１５は、トップ部１０ｃからソール部１０ｄに向かう方向に末広がりとなるように構成されている。
【００３３】
本実施の形態では、バック面１３とバッジ部２０とが向かい合う方向において、薄肉部１６に配置された接着部材３０の厚みは、厚肉部１５に配置された接着部材３０の厚みよりも大きい。このため、接着部材３０によるダンパー（振動減衰）効果は、厚肉部１５よりも薄肉部１６において大きくなる。
【００３４】
図５に示されるように、本実施の形態では、第１接着部３１は、バッジ部２０のバック面１３に向かい合う面の全面に配置されている。なお、第１接着部３１は、バッジ部２０の外周縁に略相似する外周縁を有していてもよい。また、第１接着部３１の外周縁は、バッジ部２０の外周縁よりもたとえば１ｍｍ内側に位置していてもよい。第２接着部３２は、第１接着部３１の外周縁よりも内側に配置されている。第２接着部３２の第１部分３２１および第２部分３２２の各々の外周縁は、第１接着部３１の外周縁よりもたとえば２ｍｍ内側に位置していてもよい。さらに、第２接着部３２の第１部分３２１および第２部分３２２は、第１薄肉部分１６ａと第２薄肉部分１６ｂのそれぞれの中央に配置するのが好ましい。第１薄肉部分１６ａと第２薄肉部分１６ｂのそれぞれの中央とは、第１薄肉部分１６ａおよび第２薄肉部分１６ｂの各々の平面視における図心である。これにより、第１薄肉部分１６ａと第２薄肉部分１６ｂの中央を腹とする振動モードを抑制する効果が得られる。
【００３５】
次に、図６を参照して、本発明の一実施の形態におけるアイアンゴルフクラブヘッド１００の製造方法について説明する。本実施の形態におけるアイアンゴルフクラブヘッド１００の製造方法においては、バッジ部２０の裏面２１に第１接着部３１が接着される。バック面１３において薄肉部１６の第１薄肉部分１６ａおよび第２薄肉部分１６ｂの各々に第２接着部３２の第１部分３２１および第２部分３２２の各々がそれぞれ接着される。図６中白抜き矢印で示されるようにバッジ部２０がヘッド部１０に押し付けられることによってバッジ部２０は接着部材３０を介してバック面１３に取り付けられる。
【００３６】
他の製造方法としては、バッジ部２０の裏面２１に第１接着部３１を接着し、第２接着部３２の第１部分３２１および第２部分３２２の各々を、第１接着部３１に接着してバッジ部２０を作成する。そして、バッジ部２０をヘッド部１０に押し付けてバッジ部２０をバック面１３に取り付けてもよい。
【００３７】
バッジ部２０がヘッド部１０に押し付けられる前の状態では、第２接着部３２は、フェース面１１からバック面１３に向かう方向に厚肉部１５よりも突き出している。厚肉部１５の厚みＴ１はたとえば２．４５ｍｍであり、薄肉部１６の厚みＴ２はたとえば２．０ｍｍである。また、第２接着部３２の厚みは、たとえば０．６４ｍｍである。この場合、凹部ＲＰの深さは０．４５ｍｍであるため、第２接着部３２は厚み方向に厚肉部１５よりも０．１９ｍｍだけ突き出している。バッジ部２０がヘッド部１０に押し付けられると、第２接着部３２が厚み方向に圧縮される。このように本実施の形態では、接着部材３０は圧縮された状態でバック面１３とバッジ部２０との間に配置されている。接着部材３０が圧縮される前の状態では、バック面１３とバッジ部２０とが向かい合う方向において、薄肉部１６に配置された第２接着部３２の厚みは、薄肉部１６の深さよりも大きい。第２接着部３２は、圧着後に圧縮前の７割程度の厚みに圧縮される。この第２接着部３２が圧縮された状態で、第１接着部３１が厚肉部１５に接着される。これにより、バック面１３の薄肉部１６及び厚肉部１５において、均等な接着強度を有するようにすることができる。
【００３８】
続いて、図７を参照して、本発明の一実施の形態におけるアイアンゴルフクラブヘッド１００の製造方法の変形例１について説明する。なお、本実施の形態のアイアンゴルフクラブヘッド１００の製造方法と同様の構成については、同一の参照符号を用い、特に言及しない限り説明を繰り返さない。本実施の形態におけるアイアンゴルフクラブヘッド１００の製造方法の変形例１は、本実施の形態におけるアイアンゴルフクラブヘッド１００の製造方法に比べて第２接着部３２の面積および体積が小さくなっている。そのため、本実施の形態におけるアイアンゴルフクラブヘッド１００の製造方法の変形例１では、本実施の形態におけるアイアンゴルフクラブヘッド１００の製造方法に比べて、第２接着部３２と凹部ＲＰを構成する厚肉部１５との間の隙間が大きくなっている。
【００３９】
また、図８を参照して、本発明の一実施の形態におけるアイアンゴルフクラブヘッド１００の製造方法の変形例２について説明する。なお、本実施の形態のアイアンゴルフクラブヘッド１００の製造方法と同様の構成については、同一の参照符号を用い、特に言及しない限り説明を繰り返さない。本実施の形態におけるアイアンゴルフクラブヘッド１００の製造方法の変形例２は、本実施の形態におけるアイアンゴルフクラブヘッド１００の製造方法に比べて第２接着部３２が接着剤である点で異なっている。
【００４０】
接着剤はシリコーン樹脂を主成分とするセメダインスーパーＸのように１液型接着剤でもよいし、エポキシ系接着剤と呼ばれる２液型接着剤でもよく、接着剤の種類は問わない。ただし、両面テープと金属の双方に対して接着力を有するものが望ましい。
【００４１】
バック面１３において薄肉部１６の第１薄肉部分１６ａおよび第２薄肉部分１６ｂの各々に第２接着部３２の第１部分３２１および第２部分３２２の各々が塗布される。図６中白抜き矢印で示されるようにバッジ部２０がヘッド部１０に押し付けられることによってバッジ部２０は接着部材３０を介してバック面１３に取り付けられる。
【００４２】
バッジ部２０がヘッド部１０に押し付けられる前の状態では、第２接着部３２は、フェース面１１からバック面１３に向かう方向に厚肉部１５よりも突き出している。バッジ部２０がヘッド部１０に押し付けられると、第２接着部３２が第１接着部３１によって押し広げられ、接着強度が確保される。この第２接着部３２が押し広げられた状態で、第１接着部３１が厚肉部１５に接着される。一方、接着部材３０が薄肉部１６を超えて厚肉部１５にはみ出ないようにするのは接着性の観点から当然である。
【００４３】
また、本変形例２では、第２接着部３２が接着剤である実施態様について説明したが、第１接着部３１が接着剤であり、第２接着部３２が両面テープであってもよく、あるいは、第１接着部３１、及び第２接着部３２のいずれもが接着剤であってもよい。
【００４４】
次に、図９を参照して、本発明の一実施の形態におけるアイアンゴルフクラブ２００の構成について説明する。本実施の形態におけるアイアンゴルフクラブ２００は、本実施の形態におけるアイアンゴルフクラブヘッド１００と、シャフト２０１と、グリップ２０２とを備えている。シャフト２０１は、一方端および他方端と有している。アイアンゴルフクラブヘッド１００は、シャフト２０１の一方端に取り付けられている。ホーゼル部１７にシャフト２０１の一方端が挿入されている。グリップ２０２は、シャフト２０１の他方端に取り付けられている。グリップ２０２にシャフト２０１の他方端が挿入されている。なお、シャフト２０１およびグリップ２０２は周知のものを採用可能である。
【００４５】
次に、本発明の一実施の形態におけるアイアンゴルフクラブヘッド１００およびアイアンゴルフクラブ２００の作用効果について説明する。
【００４６】
本実施の形態におけるアイアンゴルフクラブヘッド１００によれば、薄肉部１６によりフェース面１１を撓ませることで反発性能を向上させることができ、厚肉部１５によりフェース面１１の耐久性を向上させることができる。また、バッジ部２０が打球音を増幅する凹部ＲＰを覆っている。さらに凹部ＲＰの内部空間内に第２接着部３２が配置されているため、凹部ＲＰの内部空間の隙間が減少する。このため、バッジ部２０により打球音を抑制することができる。さらに、バッジ部２０は、第１接着部３１を介して厚肉部１５に接着されており、かつ第１接着部３１および第２接着部３２を介して薄肉部１６に接着されている。このため、第１接着部３１により厚肉部１５の振動が抑制されるとともに第１接着部３１および第２接着部３２により薄肉部１６の振動が抑制される。よって、打球音の高さおよび響きへの影響が大きい薄肉部１６の振動が効果的に抑制される。これにより、打球音の高さおよび響きを抑制することができる。したがって、反発性能と耐久性とを両立させながら打球音の高さおよび響きを抑制することができる。
【００４７】
また、バッジ部２０は、第１接着部３１を介して厚肉部１５に接着されており、かつ第１接着部３１および第２接着部３２を介して薄肉部１６に接着されている。したがって、バッジ部２０が薄肉部１６にも接着されるためバッジ部２０の接着面積が大きくなる。このため、バッジ部２０を接着する強度が向上する。これにより、バッジ部２０がバック面１３からはがれることを抑制することができる。
【００４８】
本実施の形態におけるアイアンゴルフクラブヘッド１００においては、第２接着部３２の第１粘着層３２ａは第１接着部３１に接着されており、第２粘着層３２ｂはバック面１３に接着されている。つまり、第２接着部３２として両面テープを用いることができる。これにより、バッジ部２０の取り付けが容易となる。したがって、アイアンゴルフクラブヘッド１００の生産性を向上させることができる。
【００４９】
本実施の形態におけるアイアンゴルフクラブヘッド１００においては、第２接着部３２は接着剤である。このため、第２接着部３２に接着剤を用いることができる。
【００５０】
本実施の形態におけるアイアンゴルフクラブヘッド１００においては、バッジ部２０の裏面２１は、平らに構成されている。したがって、バッジ部２０の裏面２１をバック面１３の形状にあわせる必要がない。このため、バッジ部２０の生産性を向上させることができる。また、バッジ部２０のコストを低減させることができる。さらに、バッジ部２０の形状精度が担保されやすいため、バッジ部２０の接着強度を向上させることができる。
【００５１】
本実施の形態におけるアイアンゴルフクラブヘッド１００においては、第１接着部３１は、バッジ部２０の外周縁に沿って配置されている。バッジ部２０は外周縁を起点としてバック面１３からはがれやすい。そのため、バッジ部２０がバック面１３からはがれることを効果的に抑制することができる。
【００５２】
本実施の形態におけるアイアンゴルフクラブヘッド１００においては、薄肉部１６の第１薄肉部分１６ａおよび第２薄肉部分１６ｂは、トウ部１０ａからヒール部１０ｂに向かう方向に並んで配置されている。フェース面１１はトウ部１０ａからヒール部１０ｂに向かう方向に耐久性が高い。そのため、耐久性の向上および反発性の向上を効果的に両立させることができる。
【００５３】
本実施の形態におけるアイアンゴルフクラブヘッド１００においては、トウ部１０ａからヒール部１０ｂに向かう方向に第１薄肉部分１６ａと第２薄肉部分１６ｂとに挟まれた厚肉部１５の幅は、トップ部１０ｃからソール部１０ｄに向かう方向に大きくなる。打球時において、フェース面１１は、トップ部１０ｃよりもソール部１０ｄの近くでゴルフボールに接触し易い。そのため、フェース面１１のゴルフボールに接触し易い領域において厚肉部１５の幅を大きくすることで効果的に耐久性を向上させることができる。
【００５４】
本実施の形態におけるアイアンゴルフクラブヘッド１００においては、第２接着部３２は、第１薄肉部分１６ａと第２薄肉部分１６ｂの中央にそれぞれ配置されている。このため、第１薄肉部分１６ａと第２薄肉部分１６ｂの中央を腹とする振動モードを抑制することができる。
【００５５】
本実施の形態におけるアイアンゴルフクラブヘッド１００においては、バック面１３とバッジ部２０とが向かい合う方向において、薄肉部１６に配置された接着部材３０の厚みは、厚肉部１５に配置された接着部材３０の厚みよりも大きい。したがって、薄肉部１６に配置された接着部材３０によるダンパー（振動減衰）効果は、厚肉部１５に配置された接着部材３０によるダンパー（振動減衰）効果よりも大きくなる。このため、接着部材３０によって薄肉部１６の振動を効果的に抑制することができる。
【００５６】
本実施の形態のアイアンゴルフクラブ２００は、本実施の形態のアイアンゴルフクラブヘッド１００を備えている。これにより、反発性能と耐久性とを両立させながら打球音の高さおよび響きを抑制することができるアイアンゴルフクラブ２００を得ることができる。
【実施例】
【００５７】
以下、本発明の実施例について比較例と対比して説明する。なお、上記の本実施の形態と同一または相当する部分には同一の参照符号を付し、その説明を繰り返さない。
【００５８】
実施例１ならびに比較例１および比較例２を用いて、ボールスピード（速度）およびキャリー（飛距離）について測定した。ボールスピード（速度）およびキャリー（飛距離）は、株式会社ミヤマエ製ショットロボ４を用いて測定した。実施例１は本実施の形態におけるアイアンゴルフクラブの構成を備えている。比較例１および比較例２の各々は、本実施の形態における厚肉部および薄肉部を有していない。実施例１のクラブ長さは３７．７５インチである。比較例１のクラブ長さは３８インチである。比較例２のクラブ長さは３７．７５インチである。実施例１ならびに比較例１および比較例２のいずれもヘッドスピードが３３．６ｍ／ｓとなるように設定した。実施例１ならびに比較例１および比較例２のいずれも７球のデータの平均値を用いた。
【００５９】
実施例１ならびに比較例１および比較例２のいずれも次の５つの打点位置に衝突させた。センター打点は、スコアラインセンターの位置かつリーディングエッジより１５ｍｍの位置である。トウ打点は、スコアラインセンターよりトウ側に１０ｍｍの位置かつリーディングエッジより１５ｍｍの位置である。ヒール打点は、スコアラインセンターよりヒール側に１０ｍｍの位置かつリーディングエッジより１５ｍｍの位置である。アップ打点は、スコアラインセンターの位置かつリーディングエッジより２５ｍｍの位置である。ダウン打点は、スコアラインセンターの位置かつリーディングエッジより５ｍｍの位置である。
【００６０】
図１０は、比較例１および比較例２ならびに実施例１について、ボールスピード（ｍ／ｓ）と打点のトウヒール方向の位置（ｍｍ）との関係を示している。図１１は、比較例１および比較例２ならびに実施例１について、ボールスピード（ｍ／ｓ）と打点のアップダウン方向の位置（ｍｍ）との関係を示している。図１０および図１１を参照して、上記の各打点位置に衝突させたときのボールスピード（速度）については、実施例１は比較例１および比較例２よりも大きくなった。
【００６１】
図１２は、比較例１および比較例２ならびに実施例１について、キャリー（ヤード）と打点のトウヒール方向の位置（ｍｍ）との関係を示している。図１３は、比較例１および比較例２ならびに実施例１について、キャリー（ヤード）と打点のアップダウン方向の位置（ｍｍ）との関係を示している。図１２および図１３を参照して、上記の各打点位置に衝突させたときのキャリー（飛距離）についても、実施例１は比較例１および比較例２よりも大きくなった。
【００６２】
以上より、実施例１は比較例１および比較例２よりも反発性が向上している。特に、センター打点、トウ打点、アップ打点では、実施例１と、比較例１および比較例２との差が大きくなった。よって、実施例１は比較例１および比較例２よりもセンター打点、トウ打点、アップ打点で特に反発性が向上している。
【００６３】
次に、比較例３ならびに実施例２および実施例３を用いて、打球音の周波数（Ｈｚ）および響き（時間）について測定した。図１４は、比較例３におけるバッジ部および接着部材の構成を示している。図１４に示されるように、比較例３は第１接着部３１のみを有している。図１５は、実施例２におけるバッジ部および接着部材の構成を示している。図１６は、実施例３におけるバッジ部および接着部材の構成を示している。図１５および図１６に示されるように、実施例２の第２接着部３２の面積および体積は、実施例３の第２接着部３２の面積および体積よりも小さい。
【００６４】
打球音の測定方法について説明する。まず、コンプレッションが１００のゴルフボールを準備した。コンプレッションとは、ボールを一定量変形させたときの荷重の大きさを差すもので、例えば（株式会社）鴨下精衡所製の「商品名；コンプレッション２７０」という測定器を用いて測ることができる。このゴルフボールを比較例３ならびに実施例２および実施例３で打球した。比較例３ならびに実施例２および実施例３はそれぞれ７番アイアンである。比較例３ならびに実施例２および実施例３のいずれもヘッドスピードは３４ｍ／ｓとした。スコアラインセンターかつリーディングエッジから上へ１５ｍｍの位置を中心に半径５ｍｍ以内の打点で測定した。
【００６５】
打球音の録音は、次のように行った。ゴルフボールの設定位置からゴルファーの正面前方方向に向かって長さが３ｍで、かつ高さが０．９ｍの位置に、ブリュエル・ケアー社製のマイクロホン「商品名；コンデンサマイクロホン４１９０」を配置した。このマイクロホンは、ブリュエル・ケアー社製のマイクロホンパワーサプライ「商品名；タイプ２８０４型マイクロホンパワーサプライ」に接続された。この位置での打球音をティアックコーポレーション社製のポータブルステレオオーディオレコーダー「商品名；ＴＡＳＣＡＭ  ＨＤ−Ｐ２」を用いて採取し分析した。レコーダーには同時に１ＫＨｚ、９４ｄＢの校正音を取り込んだ。打球音の周波数分析は、ブリュエル・ケアー社製のソフトウェア「商品名；ＳＯＵＮＤ  ＱＵＡＬＩＴＹ  ７６９８型音質評価ソフトウェア」を用いた。このソフトウェアに、校正用データと、打球前が０．００２（秒）、打球後が０．０５（秒）の合計０．０５２（秒）の打球音データを取り込んだ。これらのデータを用いて周波数分析を行った。
【００６６】
図１７を参照して、比較例３では、２０００、４０００、８０００ヘルツ（Ｈｚ）に大きなピークがみられ、実施例２および実施例３では、いずれのピークにおいても音圧が抑えられた。したがって、実施例２および実施例３は比較例３よりも打球音の高さが抑制された。なお、実施例２および実施例３においてはほとんど差がなかった。
【００６７】
また、図１８〜図２０を参照して、音圧時間波形においても、比較例３に対して、実施例２および実施例３はいずれも音の大きさが抑えられた。また、実施例２および実施例３は比較例３よりも打球音の時間が短くなった。したがって、実施例２および実施例３は比較例３よりも打球音の響きが抑制された。なお、実施例２および実施例３においてほとんど差がなかった。
【符号の説明】
【００６８】
１０  ヘッド部、１０ａ  トウ部、１０ｂ  ヒール部、１０ｃ  トップ部、１０ｄ  ソール部、１１  フェース面、１２  溝部、１３  バック面、１４  キャビティ立ち面、１５  厚肉部、１６  薄肉部、１６ａ  第１薄肉部分、１６ｂ  第２薄肉部分、１７  ホーゼル部、２０  バッジ部、２１  裏面、３０  接着部材、３１  第１接着部、３２  第２接着部、３２ａ  第１粘着層、３２ｂ  第２粘着層、３２ｃ  中間層、１００  アイアンゴルフクラブヘッド、２００  アイアンゴルフクラブ、２０１  シャフト、２０２  グリップ、３２１  第１部分、３２２  第２部分。
【図１】
2019122524.tif 000003
【図２】
2019122524.tif 000004
【図３】
2019122524.tif 000005
【図４】
2019122524.tif 000006
【図５】
2019122524.tif 000007
【図６】
2019122524.tif 000008
【図７】
2019122524.tif 000009
【図８】
2019122524.tif 000010
【図９】
2019122524.tif 000011
【図１０】
2019122524.tif 000012
【図１１】
2019122524.tif 000013
【図１２】
2019122524.tif 000014
【図１３】
2019122524.tif 000015
【図１４】
2019122524.tif 000016
【図１５】
2019122524.tif 000017
【図１６】
2019122524.tif 000018
【図１７】
2019122524.tif 000019
【図１８】
2019122524.tif 000020
【図１９】
2019122524.tif 000021
【図２０】
2019122524.tif 000022